(57)【要約】【課題】  外部電源より動力を取得すると共に、真空吸引によって塵埃やくずを収集する真空集塵装置を提供する。【解決手段】  内部に収容部が形成されると共に、上面にメインスイッチが設けられ、収容部の底部に本体吸気孔と本体吸塵孔が形成される本体と、該本体の収容部の下部に設けられ、吸気側が該本体吸気孔と連結される吸気部材と、該本体の底部に設けらると共に、下部吸塵孔と少なくとも一つのセンサーが設けられ、該下部吸塵孔が下部吸塵パイプによって本体吸塵孔と連結され、該センサーが吸気部材と電気接続される下部カバーと、該収容部に設けられると共に、上部カバー、取付フレーム、フィルター、吸気パイプ、吸塵パイプ及び制御部材を備え、該フィルターが該吸気パイプに設けられると共に、該制御部材と接触する集塵ボックスと、を有することを特徴とする。【選択図】  図１
0003140977.tif 000002
【実用新案登録請求の範囲】
【請求項１】
内部に収容部が形成されると共に、上面にメインスイッチが設けられ、収容部の底部に本体吸気孔と本体吸塵孔が形成される本体と、
該本体の収容部の下部に設けられ、吸気側が該本体吸気孔と連結される吸気部材と、
該本体の底部に設けられると共に、下部吸塵孔と少なくとも一つのセンサーが設けられ、該下部吸塵孔が下部吸塵パイプによって本体吸塵孔と連結され、該センサーが吸気部材と電気接続される下部カバーと、
該収容部に設けられると共に、上部カバー、取付フレーム、フィルター、吸気パイプ、吸塵パイプ及び制御部材を備え、該フィルターが該吸気パイプに設けられると共に、該制御部材と接触する集塵ボックスと、を有することを特徴とする真空集塵装置。
【請求項２】
前記本体は三角形であり、その正面は湾曲面であり、背面は設置箇所と対応する形状を有することを特徴とする請求項１に記載の真空集塵装置。
【請求項３】
前記本体に熱放散用の複数の通気部材が設けられることを特徴とする請求項１に記載の真空集塵装置。
【請求項４】
前記メインスイッチは少なくとも二段の制御手段を有することにより、真空集塵装置の作業状態を制御することを特徴とする請求項１に記載の真空集塵装置。
【請求項５】
前記吸気部材は、モータとファンを備えることを特徴とする請求項１に記載の真空集塵装置。
【請求項６】
前記制御部材はＬ字形であり、その長辺の端部にストッパーが設けられると共に、短辺の端部に延伸部が設けられることを特徴とする請求項１に記載の真空集塵装置。
【請求項７】
前記本体正面の下部に手動スイッチが設けられ、該手動スイッチが該吸気部材と電気接続されることを特徴とする請求項１に記載の真空集塵装置。
【考案の詳細な説明】
【技術分野】
【０００１】
本考案は、特に外部電源より動力を取得すると共に、真空吸引によって塵埃やくずを収集する真空集塵装置に関するものである。
【背景技術】
【０００２】
従来、掃除より塵埃やくずを塵取りに集中し、更に集中した塵埃やくずをゴミ箱に投げ込む方法がある。しかし、塵埃やくずをゴミ箱に投げ込む際、塵埃やくずを空気中に飛散して空気が再び汚染される恐れがある。
【０００３】
又、２００５年０２月２１日に公告した台湾実用新案第Ｍ２５６１４７号には、本体、ハンドル、ファン及び電源組からなる「吸塵塵取り」が掲示され、該本体に中空な離間プレートが設けられることにより、吸入口が形成され、又、該本体における接合部に該ハンドルが設置され、該ハンドルの内部に該ファンと電源組が設けられ、該ファンの働きより吸入口で吸引力を発生することにより、塵埃やくずを接合部における収容部に吸入させる。
【考案の開示】
【考案が解決しようとする課題】
【０００４】
しかしながら、該吸塵塵取りの接合部における収容部の空間が大きくなく、使用者は短い時間で該収容部に収集した塵埃やくずを片付ける必要があるため、非常に面倒である。
【０００５】
そこで、案出されたのが本考案であって、外部電源より動力を取得すると共に、真空吸引によって塵埃やくずを収集する真空集塵装置を提供することを目的としている。
【課題を解決するための手段】
【０００６】
本願の請求項１の考案は、内部に収容部が形成されると共に、上面にメインスイッチが設けられ、収容部の底部に本体吸気孔と本体吸塵孔が形成される本体と、
該本体の収容部の下部に設けられ、吸気側が該本体吸気孔と連結される吸気部材と、
該本体の底部に設けらると共に、下部吸塵孔と少なくとも一つのセンサーが設けられ、該下部吸塵孔が下部吸塵パイプによって本体吸塵孔と連結され、該センサーが吸気部材と電気接続される下部カバーと、
該収容部に設けられると共に、上部カバー、取付フレーム、フィルター、吸気パイプ、吸塵パイプ及び制御部材を備え、該フィルターが該吸気パイプに設けられると共に、該制御部材と接触する集塵ボックスと、を有することを特徴とする真空集塵装置、を提供する。
【０００７】
本願の請求項２の考案は、前記本体は三角形であり、その正面は湾曲面であり、背面は設置箇所と対応する形状を有することを特徴とする請求項１に記載の真空集塵装置、を提供する。
【０００８】
本願の請求項３の考案は、前記本体に熱放散用の複数の通気部材が設けられることを特徴とする請求項１に記載の真空集塵装置、を提供する。
【０００９】
本願の請求項４の考案は、前記メインスイッチは少なくとも二段の制御手段を有することにより、真空集塵装置の作業状態を制御することを特徴とする請求項１に記載の真空集塵装置、を提供する。
【００１０】
本願の請求項５の考案は、前記吸気部材は、モータとファンを備えることを特徴とする請求項１に記載の真空集塵装置、を提供する。
【００１１】
本願の請求項６の考案は、前記制御部材はＬ字形であり、その長辺の端部にストッパーが設けられると共に、短辺の端部に延伸部が設けられることを特徴とする請求項１に記載の真空集塵装置、を提供する。
【００１２】
本願の請求項７の考案は、前記本体正面の下部に手動スイッチが設けられ、該手動スイッチが該吸気部材と電気接続されることを特徴とする請求項１に記載の真空集塵装置、を提供する。
【考案の効果】
【００１３】
本考案は上記の課題を解決するものであり、本体の内部に充分の空間を有する真空チェンバーの集塵ボックスが設けられ、気流の循環で塵埃やくずを集塵ボックスに収集し、又、集塵ボックス内にシャットダウン装置である制御部材が設けられるので、真空集塵装置の使用寿命を延長することができる。
【考案を実施するための最良の形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１は本考案に係る真空集塵装置の斜視図であり、図２は本考案に係る真空集塵装置の分解斜視図であり、図３は本考案に係る真空集塵装置の他の分解斜視図であり、図４は本考案に係る真空集塵装置の一部断面図であり、図５は本考案に係る真空集塵装置におけるフィルターと制御部材の作動状態を示す参考図であり、図６は本考案に係る真空集塵装置の使用状態を示す斜視図であり、図７は本考案に係る真空集塵装置の他の使用状態を示す斜視図である。
【００１６】
図１及び図２に示すように、本考案に係わる真空集塵装置（１）は、外部電源より動力を取得すると共に、真空吸引によって塵埃やくずを収集する真空集塵装置（１）であって、該真空集塵装置（１）は、本体（１１）、吸気部材（１２）、下部カバー（１３）、集塵ボックス（１４）及び電源コード（１５）を有し、該本体（１１）の内部に収容部（１１１）が形成され、上面にメインスイッチ（１１２）が設けられ、該本体（１１）正面の下部に手動スイッチ（１１３）が設けられ、該収容部（１１１）の底部に本体吸気孔（１１１１）と本体吸塵孔（１１１２）が形成されることにより、空気を循環させる空間となり、又、本体（１１）における収容部（１１１）下部の内部空間に該吸気部材（１２）が設けられ、該吸気部材（１２）は、モータ（１２１）とファン（符号なし）を備えると共に、該メインスイッチ（１１２）、センサー（１３２）及び手動スイッチ（１１３）と電気接続され、且つ該吸気部材（１２）の吸気側が該本体吸気孔（１１１１）と連結され、又、該電源コード（１５）が外部電源と連結され、該センサー（１３２）又は手動スイッチ（１１３）が吸気部材を駆動することができ、該モータ（１２１）の働きよりファンを駆動させ、空気が本体吸気孔（１１１１）を通じて本体（１１）内に吸入され、そして排出側から外側へ排出される。該本体（１１）の下部に設けられる下部カバー（１３）に下部吸塵孔（１３１）（図４に示す）と少なくとも一つのセンサー（１３２）が設けられ、該下部吸塵孔（１３１）が下部吸塵パイプ（１３３）によって本体吸塵孔（１１１２）と連結され、該センサー（１３２）が吸気部材（１２）と電気接続されることにより、該吸気部材（１２）の作動状態を制御し、又、該本体（１１）における収容部（１１１）に該集塵ボックス（１４）が設けられ、該集塵ボックス（１４）は上部カバー（１４１）、取付フレーム（１４２）、フィルター（１４３）、吸気パイプ（１４４）、吸塵パイプ（１４５）及び制御部材（１４６）を備え、該フィルター（１４３）が該吸気パイプ（１４４）に設けられると共に、該制御部材（１４６）と接触することにより、取付フレーム（１４２）に上部カバー（１４１）を取り付けることができる。
【００１７】
更に、該吸気部材（１２）の作動に伴う熱が発生するため、本体（１１）の後側に複数の通気部材（１１４）が設けられ、本実施例において、該本体（１１）に二つの通気部材（１１４）が設けられ、空気が該通気部材（１１４）を流通することにより、吸気部材（１２）を熱放散させることができる。
【００１８】
次に、図２ないし図４に示すように、該本体吸気孔（１１１１）の下端が該吸気部材（１２）の吸気側と対応すると共に、上端が吸気パイプ（１４４）と対応し、又、該本体吸塵孔（１１１２）の下側が下部吸塵孔（１３１）と対応すると共に、上側が吸塵パイプ（１４５）と対応し、該吸気パイプ（１４４）にフィルター（１４３）が設けられ、又、該本体吸塵孔（１１１２）と下部吸塵孔（１３１）が該下部吸塵パイプ（１３３）によって互いに連結される。
【００１９】
前記真空集塵装置（１）内部に該集塵ボックス（１４）が設けられ、吸気部材（１２）を作動する際、該集塵ボックス（１４）の空気がフィルター（１４３）、吸気パイプ（１４４）及び本体吸気孔（１１１１）を通じて本体（１１）の排出側へ排出される。一方、外部の空気が下部吸塵孔（１３１）、下部吸塵パイプ（１３３）、本体吸塵孔（１１１２）及び吸塵パイプ（１４５）を通じて集塵ボックス（１４）の内部に吸入されることにより、気流の循環効果を達成する。これにより、本考案に係わる真空集塵装置（１）は、真空吸引の原理で集塵ボックス（１４）を真空チェンバーとなり、循環の気流で塵埃やくずを集塵ボックス（１４）の内部に収集することができる。
【００２０】
更に、図２及び図４に示すように、該真空集塵装置（１）の本体（１１）の上面にメインスイッチ（１１２）が設けられ、一方、該本体（１１）正面の下部に手動スイッチ（１１３）が設けられ、該メインスイッチ（１１２）が吸気部材（１２）とセンサー（１３２）と電気接続されることにより、該真空集塵装置（１）を起動させることができ、該手動スイッチ（１１３）が該吸気部材（１２）と電気接続されることにより、吸気部材（１２）を制御することができ、又、メインスイッチ（１１２）では少なくとも二段の制御手段を有し、本実施例において、該メインスイッチ（１１２）は、自動制御(ＡＵＴＯ)、手動制御（ＭＡＮＵＡＬ）及びオフ（ＯＦＦ）の三段の制御手段を有する。メインスイッチ（１１２）を自動制御状態に制御する際、塵埃やくずを該真空集塵装置（１）の底部に吸入し、センサー(１３２)が塵埃やくずを感知すると、吸気部材（１２）が駆動されると共に、下部吸塵孔（１３１）から集塵作業を行う。又、メインスイッチ（１１２）を手動制御状態に制御する際、塵埃やくずを該真空集塵装置（１）の底部に吸入し、該手動スイッチ（１１３）を押圧すると、吸気部材（１２）が駆動されると共に、下部吸塵孔（１３１）から集塵作業を行う。又、メインスイッチ（１１２）をオフ状態に制御する際、該真空集塵装置（１）は集塵作業を行わない。該メインスイッチ（１１２）の三段の制御手段により、使用者の需要に応じて該真空集塵装置（１）を使用することができる。
【００２１】
次に、図２、図４及び図５に示すように、該集塵ボックス（１４）内に設置される制御部材（１４６）はＬ字形であり、該制御部材（１４６）の長辺の端部にストッパー（１４６１）が設けられると共に、短辺の端部に延伸部（１４６２）が設けられ、該制御部材（１４６）はシャットダウン装置であり、吸気パイプ（１４４）にフィルター（１４３）を設置する前に制御部材（１４６）のストッパー（１４６１）が集塵ボックス（１４）の側壁と接触され、この際、上部カバー（１４１）がストッパー（１４６１）の阻むにより集塵ボックス（１４）の取付フレーム（１４２）に取付けられなく、一方、フィルター（１４３）を吸気パイプ（１４４）に設置すると、制御部材（１４６）の延伸部（１４６２）がフィルターの押圧より押圧されると共に、ストッパー（１４６１）が集塵ボックス（１４）の側壁から離れるので、上部カバー（１４１）が取付フレーム（１４２）に取付けられることができる。しかし、該制御部材（１４６）の直角箇所にスプリング（符号なし）が設けられるため、一旦フィルター（１４３）が吸気パイプ（１４４）と離れると、該ストッパー（１４６１）が再び集塵ボックス（１４）の側壁と接触することにより、上部カバー（１４１）を取付フレーム（１４２）に設置することができない。これにより、フィルター（１４３）を設置しない場合、真空集塵装置（１）を使用することができないので、真空集塵装置（１）の使用寿命を延長することができる。
【００２２】
更に、図６及び図７に示すように、該真空集塵装置（１）の本体（１１）は三角形であり、その正面は湾曲面であり、背面は設置箇所（２）と対応する形状を有することにより、真空集塵装置（１）を部屋のコーナーに合わせて設置することができる。又、該真空集塵装置（１）の集塵ボックス（１４）は充分の空間を有するので、使用者は常に収集した塵埃やくずを片付ける必要がなく、非常に便利である。
【００２３】
又、塵埃やくずを真空集塵装置（１）の底部に集中した後、該真空集塵装置（１）は自動又は手動より塵埃やくずを集塵ボックス（１４）に吸入することができ、一方、本考案に係わる真空集塵装置（１）は、一般の掃除機やクリーナーなどの効果を有するので、使用上非常に便利である。
【産業上の利用可能性】
【００２４】
本考案は上記の構成を有し、本体の内部に充分の空間を有する真空チェンバーの集塵ボックスが設けられ、気流の循環で塵埃やくずを集塵ボックスに収集し、又、集塵ボックス内にシャットダウン装置である制御部材が設けられるので、真空集塵装置の使用寿命を延長することができる。
【図面の簡単な説明】
【００２５】
【図１】本考案に係る真空集塵装置の斜視図である。
【図２】本考案に係る真空集塵装置の分解斜視図である。
【図３】本考案に係る真空集塵装置の他の分解斜視図である。
【図４】本考案に係る真空集塵装置の一部断面図である。
【図５】本考案に係る真空集塵装置におけるフィルターと制御部材の作動状態を示す参考図である。
【図６】本考案に係る真空集塵装置の使用状態を示す斜視図である。
【図７】本考案に係る真空集塵装置の他の使用状態を示す斜視図である。
【符号の説明】
【００２６】
１          真空集塵装置
１１        本体
１１１      収容部
１１１１    本体吸気孔
１１１２    本体吸塵孔
１１２      メインスイッチ
１１３      手動スイッチ
１１４      通気部材
１２        吸気部材
１２１      モータ
１３        下部カバー
１３１      下部吸塵孔
１３２      センサー
１３３      下部吸塵パイプ
１４        集塵ボックス
１４１      上部カバー
１４２      取付フレーム
１４３      フィルター
１４４      吸気パイプ
１４５      吸塵パイプ
１４６      制御部材
１４６１    ストッパー
１４６２    延伸部
１５        電源コード
２          設置箇所
【図１】
0003140977.tif 000003
【図２】
0003140977.tif 000004
【図３】
0003140977.tif 000005
【図４】
0003140977.tif 000006
【図５】
0003140977.tif 000007
【図６】
0003140977.tif 000008
【図７】
0003140977.tif 000009